(57)【要約】【課題】輪郭部で接しているセル同志の輝度差が大きいと、輪郭部のセルの色が見た目に強調され輪郭部のセルが色がついているように見えるという問題があり、これに対し、さまざまな映像信号において、輪郭部分に生じる色付きの改善を図る。【解決手段】画素構造が三原色ＲＧＢのストライプ配列をしている映像表示装置において、輪郭特徴量検出回路３から得られる輪郭特徴量に応じて、輪郭部に表示するＲＧＢの輝度比率を、補正前の輝度比率と異なるように変化させる。【選択図】図１
2006030351.tif 000002
【特許請求の範囲】
【請求項１】
入力ＲＧＢ信号を変換する信号変換手段と、画素構造が三原色ＲＧＢのストライプ配列を有し、前記信号変換手段で生成されたＲＧＢ信号に基づいて映像を表示する映像表示装置と、前記入力ＲＧＢ信号から得られる注目画素及びその周辺画素の輝度情報に基づき、各注目画素が輪郭部である度合いを示す輪郭特徴量を求める輪郭特徴量検出手段と、前記輪郭特徴量に基づき前記信号変換手段を制御する制御手段とを備え、前記信号変換手段は、前記制御手段によって得られた値に基づいて前記入力ＲＧＢ信号の値を変化させて表示することを特徴とした表示装置。
【請求項２】
前記輪郭部の画素の表示色を、輪郭部の最も外側のセル一色のみ変化させること特徴とする請求項１記載の表示装置。
【発明の詳細な説明】
【技術分野】
【０００１】
本発明は、画素構造が三原色ＲＧＢのストライプ配列を有するパネルを用いたテレビ・やモニターなどの表示装置に関するものである。
【背景技術】
【０００２】
テレビジョン受像機やコンピュータなどの映像処理回路から出力されるカラー映像の映像信号は、通常ＲＧＢの３原色の映像信号からなり、ＣＲＴ（陰極線管）やプラズマ、液晶表示装置において、これらの映像信号に基づき画素ごとにその色が表示され、映像が映し出される。このようなＲＧＢの映像信号に対して、従来では、映し出される映像にメリハリ感をつけるため、映像の輪郭部を強調するような映像処理を行う輪郭補正処理を行っている。輪郭補正の処理を行う場合、ＲＧＢの各色の映像信号に対してそれぞれ独自に無関係に郭補正を行うと、画像によっては補正した画素の色度が変化してしまい、輪郭部に色付きが発生してしまい、不自然な映像となってしまう。
【０００３】
このような問題を解決する方法として、例えば、特許文献１には、輝度信号を利用して輪郭補正する技術が公開されている。この公報に開示されている従来の輪郭補正方法は、各画素のＲＧＢの映像信号レベルと隣接画素のＲＧＢ映像信号レベルに基づいて注目画素の輪郭部の程度を検出し、その程度と注目画素における各色の映像信号レベルに基づいて輪郭補正量を算出する。そして、求めた輪郭補正量より、注目画素に表示する映像信号レベルを補正処理前後で各色の比率が変らないように補正して、輪郭部の色付きが発生するのを抑えている。
【特許文献１】特開２００２−２１８４９３号公報
【発明の開示】
【発明が解決しようとする課題】
【０００４】
しかしながら、従来は輪郭補正をする際に注目画素が輪郭部である程度と各色ごと映像信号レベルに基づいて輪郭補正量を算出し、輪郭部の画素が補正前の表示色と異なる色を表示することなく輪郭部の強調を行っているが、液晶やプラズマなどの表示装置などの画素構造は各色ＲＧＢのセルが交互に並んだストライプ構造をしているため、輪郭部で接しているセル同志の輝度差が大きいと輪郭部のセルの色が見た目に強調され輪郭部のセルが色ついているように見えるという問題がある。これは輪郭補正を行わず映像を表示した際にもＲＧＢのストライプ構造により輪郭部のセルのみが色が付いたように見える。
【０００５】
その上、輪郭補正により輪郭部の映像を強調することにより、より顕著に輪郭部のセルが色付いたように見える。例えば、図２（ａ）に示すように、左からＲ、Ｇ、Ｂと並ぶセル構造をした表示装置に背景が（ｒ１、ｇ１、ｂ１）＝（０％、０％、０％）黒表示で（ｒ２、ｇ２、ｂ２）＝（９０％、９０％、９０％）の白のウィンドウを表示するような映像信号が入力された場合、従来の輪郭補正により輪郭部の画素はＲＧＢの比率が変らないように（ｒ３、ｇ３、ｂ３）＝（９２％、９２％、９２％）と補正されるとする。このとき、白ウィンドウの最も左端のＲのセルの色が、見ために目立ち、白のウィンドウの左淵が赤く、また同様に白ウィンドウの右の淵が青に色付いて見えるという現象が生じる。
【課題を解決するための手段】
【０００６】
この課題を解決するために本発明は、入力ＲＧＢ信号を変換する信号変換手段と、画素構造が三原色ＲＧＢのストライプ配列を有し、前記信号変換手段で生成されたＲＧＢ信号に基づいて映像を表示する映像表示装置と、前記入力ＲＧＢ信号から得られる注目画素及びその周辺画素の輝度情報に基づき、各注目画素が輪郭部である度合いを示す輪郭特徴量を求める輪郭特徴量検出手段と、前記輪郭特徴量に基づき前記信号変換手段を制御する制御手段とを備え、前記信号変換手段は、前記制御手段によって得られた値に基づいて前記入力ＲＧＢ信号の値を変化させ、そして輪郭部の画素の表示色を補正前の表示色と異なる表示をすることを特徴とした表示装置である。
【発明の効果】
【０００７】
本発明による表示装置を用いれば、表示装置の画素構造がＲＧＢのストライプ構造を有する表示装置において、様々な映像信号に対して注目画素の輪郭部である度合いと各色の映像信号レベルに基づき各色ごとの補正量を元の表示色と異なるよう表示する補正量を算出するようにしているので、輪郭部における色付きが起こらないようすることができ、不自然な映像が表示されないようにすることが可能となる。
【０００８】
また本発明による表示装置を用いれば、注目画素のＲＧＢセルの配列により補正する色を１色のみにすることで輪郭補正量の算出する回路構成を簡略化することができ、低コスト化を図ることが可能となる。
【発明を実施するための最良の形態】
【０００９】
本発明の表示装置は、入力ＲＧＢ信号を変換する信号変換手段と、画素構造が三原色ＲＧＢのストライプ配列を有し、前記信号変換手段で生成されたＲＧＢ信号に基づいて映像を表示する映像表示装置と、前記入力ＲＧＢ信号から得られる注目画素及びその周辺画素の輝度情報に基づき、各注目画素が輪郭部である度合いを示す輪郭特徴量を求める輪郭特徴量検出手段と、前記輪郭特徴量に基づき前記信号変換手段を制御する制御手段とを備え、前記信号変換手段は、前記制御手段によって得られた値に基づいて前記入力ＲＧＢ信号の値を変化させるようにした表示装置で、輪郭部の画素の表示色を補正前の表示色と異なる表示をすることを特徴とした表示装置である。
【００１０】
（実施の形態１）
以下に、本発明の表示装置の一実施例について、図１を用いて説明する。
【００１１】
図１に示すこの液晶表示装置１００は入力ＲＧＢ信号Ｉが供給される映像信号変換回路１と前記映像信号変換回路１の出力が供給される画素構造が三原色ＲＧＢのストライプ構造を有する映像表示装置２と、入力ＲＧＢ信号Ｉから得られる注目画素及びその周辺画素における各色の輝度情報に基づき、各注目画素が輪郭部の画素である度合いを示す輪郭特徴量を求める輪郭特徴量検出回路３と、前記輪郭特徴量検出回路３からの出力により前記映像信号変換回路１を制御する制御回路４を備えている。
【００１２】
以上のような構成をした表示装置において、例えば、図２（ａ）に示すように、表示装置の画素構造が左からＲ、Ｇ、Ｂの順番で並んだストライプ構造をしている映像表示装置に、背景の各色の映像信号レベルが（ｒ１、ｇ１、ｂ１）＝（０％、０％、０％）の黒表示で（ｒ２、ｇ２、ｂ２）＝（９０％、９０％、９０％）の白のウィンドウを表示するような映像信号が入力された場合を考える。
【００１３】
まず従来までの輪郭特徴量を検出する方法の詳細は、上述した特許文献１に説明されているので詳細な説明は省略し、簡略に説明する。
【００１４】
ここで従来の輪郭補正回路の構成は同様であり、演算方法のみ異なるので、図１を用いて説明する。従来までの輪郭補正回路では、まず入力されたＲＧＢ信号よりえられる注目画素及びその周辺画素の各色ごとの映像信号レベルに基づき、輪郭特徴量検出回路３により、注目画素が輪郭部である度合いを算出する。
【００１５】
具体的には注目する画素と、注目する画素と水平方向に隣接する画素間の映像寝号レベルの差もしくは２次微分量などを、ＲＧＢの各色ごとに算出する。算出されたＲＧＢ各色ごとの値より輪郭部の特徴量ａを求める。そして求めた輪郭特徴量ａを制御回路へ出力する。
【００１６】
制御回路４は輪郭特徴量検出回路から出力されてくる特徴量ａに基づいて表示される映像の輪郭部に輪郭補正を行う際に輪郭部に色つきが生じないように映像信号変換回路を制御する信号ｂを出力する。この様子を図２（ａ）を用いて示すと
まず、色つきが生じないように輪郭補正を行うために、輪郭部Ｘ１の補正後の各色の映像信号レベルが同じ比率になるように（ｒ３、ｇ３、ｂ３）＝（９２％、９２％、９２％）と補正されるとする。補正前と補正後で色付きが発生するのを抑えて、輪郭部の強調を行っている。しかしながらこのように輪郭強調を行った映像信号を表示させる表示装置が液晶やプラズマなどのような画素構造がＲＧＢ三原色のストライプ構造をしている表示装置の場合、白ウィンドウの最も左端の輪郭セル部Ｙ１の色Ｒが、見ために目立ち、白のウィンドウの左淵が赤く、また同様に白ウィンドウの右淵の輪郭セル部Ｙ２が青に色付いて見えるという現象が生じる。
【００１７】
これは輪郭補正を行わなくても画素構造がＲＧＢ三原色のストライプ構造をしている表示装置の場合に生じる問題であるが、輪郭補正を行うことにより、色つきがより強調されてしまう。またこの色つきは表示装置の画素構造の大きさにもより、画素構造が大きいものほどより顕著に色付きが生じているように見える。
【００１８】
そこでこのような映像信号が入力された場合、本発明の制御回路４は輪郭特徴量検出回路より入力された値ｂに応じて制御回路４を制御する信号ｃを出力する。この制御信号ｃは輪郭部が色が付かないような制御信号を出力するようにする。その様子を同様に図２（ｂ）を用いて説明する。
【００１９】
図２（ａ）で説明した同様の映像信号が入力された場合、従来のような補正処理の方法では輪郭部Ｘ１の最も左端に色付きが生じるので、輪郭部Ｘ１の各色の映像信号レベル補正量を外側になるほど段階的に弱くなるようにする。補正前における白ウィンドウの各色の映像信号レベルが（ｒ２、ｇ２、ｂ２）＝（９０％、９０％、９０％）とすると、輪郭補正後の輪郭部Ｘ１の表示色を例えば（ｒ４、ｇ４、ｂ４）＝（８５％、９０％、９２％）とする。このように輪郭部の画素表示色を輪郭部の最も外側のセルが色付いて見えるのを抑えるようにするため、補正前後で各色の映像信号レベル比が異なる色を表示する。
【００２０】
結果として、従来、画素構造がＲＧＢ三原色のストライプ構造をしている表示装置の場合、さまざまな映像信号に対して例で示したような映像信号が入力された場合、輪郭補正処理を行うと輪郭部の最も外側のセルが色付いており非常に不自然な映像となっていたものを抑えることができ、さまざまな映像信号に対して輪郭部の色つきを抑えることが可能となり、自然でメリハリのついた映像を表示することが可能となる。
【００２１】
（実施の形態２）
本発明の別の実施の形態は、制御回路で補正する色をＲ、Ｇ、Ｂいずれか一色のみであることを特徴とする表示装置である。本実施の形態の表示装置の輪郭部特徴量を検出する方法は、上記（実施の形態１）で説明したものと同様であるので、その説明については省略する。様々な映像信号に対して（実施の形態１）で説明したような方法では、従来の輪郭補正量を各色ごとに算出した値に対して表示装置のＲＧＢセルの配列を考慮しそれぞれ、各色ごとにさらに補正を行っている。
【００２２】
本実施の形態の表示装置では、ＲＧＢセルの配列を考慮し輪郭部の最も外側となるＲＧＢセルのいずれか１色のみの映像信号レベルを変化させるようにする。例えば画素構造が左からＲ、Ｇ、Ｂの順番で並ぶような表示において映像信号として黒表示に白ウィンドウが表示される映像信号が入力された場合、算出される補正量に対して、左端の輪郭部はＲだけを弱め、右端はＢだけを弱めるようにする。これにより演算回路を簡略化することができ、低コストを図ることが可能となる。
【産業上の利用可能性】
【００２３】
本発明は、ＲＧＢストライプ構造の表示画面を備える表示装置においては同等の効果を奏するものであり、輪郭部の色付改善を図ることにより、高画質の画像を視聴者に提供することを可能にするものである。
【図面の簡単な説明】
【００２４】
【図１】本発明の第１の実施例における表示装置の輪郭部色付きの改善を行うための回路の動作を説明する図
【図２】同表示装置を用いた場合の参考例を示す図
【符号の説明】
【００２５】
１    映像信号変換回路
２    映像表示装置
３    輪郭特徴量検出回路
４    制御回路
【図１】
2006030351.tif 000003
【図２】
2006030351.tif 000004